(57)【要約】      （修正有）【課題】起動信号を複数系統に分けて伝送する場合に比較して、起動信号の伝送経路が複雑化するのを回避しつつ、静電気ノイズの影響を抑制する。【解決手段】原稿の画像を読み取る画像読取素子８３が第１の回路基板９０に実装されている。また、第１の回路基板９０に接続された中継、基板９１には、画像読取素子８３や駆動モーターＭ等に電力を供給する電源回路９２と、遅延回路９６を備え、電源回路９２の立ち上がりから一定の時間だけ遅延させて、画像読取装置３を起動する起動信号９７を生成する。さらに、メイン基板１００のメインＣＰＵ１０１は、起動信号９７に重畳される静電気ノイズの影響をポーリング処理を行うことでソフトウェア的に除去する。【選択図】図４
2016178501.tif 000002
【特許請求の範囲】
【請求項１】
原稿の画像を読み取る読取手段と、
前記読取手段に電力を供給する電源回路と、
前記電源回路の立ち上がりに基づいて前記読取手段を起動する起動信号を生成して出力する生成回路と、
を備える画像読取装置。
【請求項２】
前記読取手段、前記電源回路及び前記生成回路は、同一の筐体内部に配置されている請求項１に記載の画像読取装置。
【請求項３】
前記生成回路は、前記電源回路の立ち上がりに基づく信号を一定時間だけ遅延させて起動信号として出力する遅延回路からなる請求項１又は２に記載の画像読取装置。
【請求項４】
前記読取手段を制御する制御手段を備え、
前記生成回路は、前記制御手段と前記読取手段の双方に起動信号を出力する請求項１乃至３のいずれかに記載の画像読取装置。
【請求項５】
前記制御回路は、主基板に配置され、
前記電源回路と前記生成回路は、前記主基板とは異なる基板に配置されている請求項４に記載の画像読取装置。
【請求項６】
前記読取手段を制御する制御手段を備え、
前記制御手段は、前記生成回路から出力される起動信号に重畳するノイズを除去するノイズ除去機能を有する請求項１乃至５のいずれかに記載の画像読取装置。
【請求項７】
原稿の画像を読み取る画像読取装置と、
前記画像読取装置によって読み取られた原稿の画像を形成する画像形成手段と、
を備え、
前記画像読取装置として請求項１乃至６のいずれかに記載の画像読取装置を用いた画像形成装置。
【発明の詳細な説明】
【技術分野】
【０００１】
この発明は、画像読取装置及び画像形成装置に関する。
【背景技術】
【０００２】
従来、画像読取装置等の電子機器において静電気ノイズの影響を回避する技術としては、例えば、特許文献１に開示されたものが既に提案されている。
【０００３】
特許文献１は、電磁シールドがなされていない箱体に映像化手段を備える第１の回路基板とケーブルで接続される第１の回路基板からの映像情報を受けて所定の処理を加えて拡大投射する映像に加工する第２の回路基板を含むプロジェクタであって、前記第２の回路基板内の回路素子から再起動の契機となるリセット信号を生成して、少なくとも２つの系統に分けて出力し、第１の系統のリセット信号をこの第２の回路基板の所定の回路素子に供給し、第２の系統のリセット信号をケーブルを介して前記第１の回路基板に接続するように構成したものである。
【先行技術文献】
【特許文献】
【０００４】
【特許文献１】特開２０１１−２２３０８３号公報
【発明の概要】
【発明が解決しようとする課題】
【０００５】
この発明は、起動信号を複数系統に分けて伝送する場合に比較して、起動信号の伝送経路が複雑化するのを回避しつつ、静電気ノイズの影響を抑制することを目的とする。
【課題を解決するための手段】
【０００６】
請求項１に記載された発明は、原稿の画像を読み取る読取手段と、
前記読取手段に電力を供給する電源回路と、
前記電源回路の立ち上がりに基づいて前記読取手段を起動する起動信号を生成して出力する生成回路と、
を備える画像読取装置である。
【０００７】
請求項２に記載された発明は、前記読取手段、前記電源回路及び前記生成回路は、同一の筐体内部に配置されている請求項１に記載の画像読取装置である。
【０００８】
請求項３に記載された発明は、前記生成回路は、前記電源回路の立ち上がりに基づく信号を一定時間だけ遅延させて起動信号として出力する遅延回路からなる請求項１又は２に記載の画像読取装置である。
【０００９】
請求項４に記載された発明は、前記読取手段を制御する制御手段を備え、
前記生成回路は、前記制御手段と前記読取手段の双方に起動信号を出力する請求項１乃至３のいずれかに記載の画像読取装置である。
【００１０】
請求項５に記載された発明は、前記制御回路は、主基板に配置され、
前記電源回路と前記生成回路は、前記主基板とは異なる基板に配置されている請求項４に記載の画像読取装置である。
【００１１】
請求項６に記載された発明は、前記読取手段を制御する制御手段を備え、
前記制御手段は、前記生成回路から出力される起動信号に重畳するノイズを除去するノイズ除去機能を有する請求項１乃至５のいずれかに記載の画像読取装置である。
【００１２】
請求項７に記載された発明は、原稿の画像を読み取る画像読取装置と、
前記画像読取装置によって読み取られた原稿の画像を形成する画像形成手段と、
を備え、
前記画像読取装置として請求項１乃至６のいずれかに記載の画像読取装置を用いた画像形成装置である。
【発明の効果】
【００１３】
請求項１に記載された発明によれば、起動信号を複数系統に分けて伝送する場合に比較して、起動信号の伝送経路が複雑化するのを回避しつつ、静電気ノイズの影響を抑制することができる。
【００１４】
請求項２に記載された発明によれば、読取手段、電源回路及び生成回路が同一の筐体内部に配置されていない場合に比較して、静電気ノイズの影響をより確実に抑制することができる。
【００１５】
請求項３に記載された発明によれば、生成回路を、電源回路の立ち上がりに基づく信号を一定時間だけ遅延させて出力する遅延回路から構成しない場合に比較して、簡単な構成で静電気ノイズの影響をより確実に抑制することができる。
【００１６】
請求項４に記載された発明によれば、生成回路が、制御手段と読取手段の双方に起動信号を出力しない場合に比較して、静電気ノイズの影響をより確実に抑制することができる。
【００１７】
請求項５に記載された発明によれば、電源回路と生成回路を、制御手段が配置された主基板と同一の基板に配置した場合に比較して、静電気ノイズの影響をより確実に抑制することができる。
【００１８】
請求項６に記載された発明によれば、制御手段がノイズ除去機能を備えない場合に比較して、静電気ノイズの影響による誤動作を抑制することができる。
【００１９】
請求項７に記載された発明によれば、画像読取手段として請求項１乃至６のいずれかに記載の画像読取装置を用いない場合に比較して、画像読取装置が静電気ノイズの影響を受けることを抑制することが可能となる。
【図面の簡単な説明】
【００２０】
【図１】この発明の実施の形態１に係る画像読取装置を適用した画像形成装置を示す全体構成図である。
【図２】この発明の実施の形態１に係る画像読取装置を示す断面構成図である。
【図３】画像読取装置の読取手段を示す斜視構成図である。
【図４】この発明の実施の形態１に係る画像読取装置を適用した画像形成装置を示すブロック図である。
【図５】中継基板を示す構成図である。
【図６】この発明の実施の形態１に係る画像読取装置の動作を示すタイミングチャートである。
【図７】この発明の実施の形態１に係る画像読取装置の動作を示す構成図である。
【図８】従来の画像読取装置の動作を示す構成図である。
【発明を実施するための形態】
【００２１】
以下に、この発明の実施の形態について図面を参照して説明する。
【００２２】
[実施の形態１]
図１はこの発明の実施の形態１に係る画像読取装置を適用した画像形成装置の全体の概要を示す構成図である。
【００２３】
＜画像形成装置の全体の構成＞
実施の形態１に係る画像形成装置１は、例えばカラー複写機として構成されたものである。画像形成装置１は、原稿６の画像を読み取る画像読取装置３と、画像データに基づいて記録媒体に画像を形成する画像形成手段の一例としての画像形成部２とを備えている。画像読取装置３は、画像形成部２を収容した装置本体１ａの上方に支持部４により支持された状態で配置されており、画像読取装置３と装置本体１ａとの間には画像が形成された記録媒体を排出するための空間を形成している。
【００２４】
また、画像読取装置３には、図１に示されるように、その筐体３１の前面に位置する前壁３１１の上部に、画像形成装置１及び画像読取装置３を操作する操作部としてのコントロールパネル１０１が設けられている。コントロールパネル１０１は、ユーザに操作メニューや警告、メッセージ等を表示する表示部を兼ねるとともに表示した操作メニューに対する各種設定等を受け付けるタッチパネル１０２、及び複数の操作ボタン１０３を有している。
【００２５】
画像形成部２は、図１に示されるように、現像剤を構成するトナーで現像されるトナー像を形成する複数の作像装置１０と、各作像装置１０で形成されるトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。なお、装置本体１ａは支持構造部材、外装カバー等で形成されている。
【００２６】
給紙装置５０は、露光装置１３の下方側の位置に存在するように配置される。この給紙装置５０は、所望のサイズ、種類等の記録用紙５を積載した状態で収容する複数（又は単数）の用紙収容体５１１〜５１３と、用紙収容体５１１〜５１３から記録用紙５を１枚ずつ送り出す送出装置５２，５３とで主に構成されている。用紙収容体５１は、例えば、装置本体１ａの正面（使用者が操作時に向き合う側面）側に引き出すことができるように取り付けられている。
【００２７】
給紙装置５０と二次転写装置２０との間には、給紙装置５０から送り出される記録用紙５を二次転写位置まで搬送する複数の用紙搬送ロール５４，５５や搬送ガイド材で構成される給紙搬送路５６が設けられている。給紙搬送路５６において二次転写位置の直前の位置に配置される用紙搬送ロール５５は、例えば記録用紙５の搬送時期を調整するロール（レジストロール）として構成されている。さらに、定着装置４０の用紙搬送方向に沿った下流側には、記録用紙５を排出収容部５７へと排出する排出ロール５８が配置されている。
【００２８】
複数の作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。各作像装置１０（Ｙ，Ｍ，Ｃ，Ｋ）は、像保持体の一例としての回転する感光体ドラム１１と、感光体ドラム１１の像形成が可能な周面（像保持面）を所要の電位に帯電させる帯電装置１２と、感光体ドラム１１の帯電された周面に画像の情報（信号）に基づく光ＬＢを照射して電位差のある（各色用の）静電潜像を形成する露光装置１３と、その静電潜像を対応する色（Ｙ，Ｍ，Ｃ，Ｋ）の現像剤のトナーで現像してトナー像にする現像装置１４と、その各トナー像を中間転写装置２０に転写する一次転写手段の一例としての一次転写装置１５と、一次転写後における感光体ドラム１１の像保持面に残留して付着するトナー等の付着物を取り除いて清掃する図示しないドラム清掃装置等を備えている。
【００２９】
中間転写装置２０は、中間転写ベルト２１と、中間転写ベルト２１を矢印方向に沿って搬送する複数の搬送ロール２２〜２４，２６とを有している。また、搬送ロール２３には、中間転写ベルト２１上のトナー像を記録用紙５に一括して二次転写するロール形態の二次転写装置２５が中間転写ベルト２１を介して接触するよう配置されている。
【００３０】
また、定着装置４０は、加熱用の回転体４１と加圧用の回転体４２とを備えている。加熱用の回転体４１と加圧用の回転体４２の接触部は、記録用紙５上にトナー像を定着する定着処理部を構成している。
【００３１】
＜画像形成装置の基本的な動作＞
以下、画像形成装置１による基本的な画像形成動作について説明する。
【００３２】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を説明する。
【００３３】
画像形成装置１は、画像形成動作（プリント）の要求の指令情報を受けると、４つの作像装置１０（Ｙ，Ｍ，Ｃ，Ｋ）、中間転写装置２０、二次転写装置２５、定着装置４０等が始動する。
【００３４】
そして、各作像装置１０（Ｙ，Ｍ，Ｃ，Ｋ）においては、対応する色のトナーでそれぞれ現像された４色（Ｙ，Ｍ，Ｃ，Ｋ）のトナー像として顕像化される。各作像装置１０（Ｙ，Ｍ，Ｃ，Ｋ）で形成された各色のトナー像が一次転写位置まで搬送されると、一次転写装置１５が、その各色のトナー像を中間転写装置２０の矢印で示す方向に回転する中間転写ベルト２１に対して順番に重ね合わせるような状態で一次転写させる。続いて、中間転写装置２０は、中間転写ベルト２１の回転により一次転写されたトナー像を保持して二次転写位置まで搬送する。一方、給紙装置５０では、作像動作に合わせて所要の記録用紙５を給紙搬送路５６に送り出す。給紙搬送路５６では、レジストロールとしての用紙搬送ロール５５が記録用紙５を転写時期に合わせて二次転写位置に送り出して供給する。
【００３５】
二次転写位置においては、二次転写装置２５が、中間転写ベルト２１上のトナー像を記録用紙５に一括して二次転写させる。また、二次転写が終了した後の中間転写装置２０では、図示しないベルト清掃装置が、二次転写後の中間転写ベルト２１の表面に残留したトナー等の付着物を取り除いて清掃する。
【００３６】
続いて、トナー像が二次転写された記録用紙５は、中間転写ベルト２１と二次転写ロール３０から剥離された後に定着装置４０まで搬送される。定着装置４０では、必要な定着処理（加熱及び加圧）をして未定着のトナー像を記録用紙５に定着させる。最後に、定着が終了した後の記録用紙５は、排出ロール５８により、例えば装置本体１ａの上部に配置された排出収容部５７に排出される。
【００３７】
以上の動作により、４色のトナー像を組み合わせて形成されるフルカラー画像が形成された記録用紙５が排出される。
【００３８】
＜画像読取装置の構成＞
図２はこの実施の形態１に係る画像読取装置の構成を示す概略構成図である。
【００３９】
画像読取装置３は、大別して、上端面に原稿読取面が形成された筐体３１と、筐体３１に対して開閉自在に取り付けられた原稿押さえカバー３２と、原稿押さえカバー３２の一端部に設けられた自動原稿搬送装置（DADF: Duplex Automatic Document Feeder)３３とを備えている。
【００４０】
この画像読取装置３は、ユーザの操作に応じて、自動原稿搬送装置３３によって原稿６を一枚ずつ自動的に搬送しながら原稿６を読み取る第１の読取モードと、後述する原稿台７６の上に置かれた原稿６を読み取る第２の読取モードとに切り替え可能に構成されている。図２は、第１の読取モードにおける原稿読み取り時の各部材の状態を示している。
【００４１】
自動原稿搬送装置３３は、原稿６を積載した状態で収容する原稿収容部６０と、原稿収容部６０から原稿６を送り出す送出ロール６１と、送出ロール６１によって送り出された原稿６を１枚ずつ捌く捌きロール６２と、原稿６を原稿読取位置へ搬送する搬送ロール６３〜６７と、原稿６を排出収容部６８へ排出する排出ロール６９から構成される原稿搬送機構を有している。これらの送出ロール６１、捌きロール６２、搬送ロール６３〜６７及び排出ロール６９は、原稿６の読み取り時に図示しない駆動モーター等を備えた駆動手段によって駆動される。搬送ロール６４は、レジストロールとして機能し、搬送ロール６４の搬送方向に沿った上流側に位置する搬送ロール６３は、プリレジストロールとして機能する。なお、搬送ロール６７は、原稿６の上面（裏面）を押さえるためのロールである。
【００４２】
原稿６の搬送方向に沿って配置される搬送ロール６３及び搬送ロール６４は、搬送方向に対する原稿６の傾きを機械的に補正する補正手段として機能する。原稿６の搬送方向に沿った上流側に位置する搬送ロール６３のうち駆動ロールとしての搬送ロール６３ｂは、図２に示されるように、図示しない駆動モーター等を駆動手段として、図の正回転方向Ｒａと逆回転方向Ｒｂに回転可能に構成されている。従動ロールである搬送ロール６３ａは、搬送ロール６３ｂに圧接した状態で、搬送ロール６３ｂの回転にしたがって回転するものである。その際、搬送ロール６３ａの回転方向に対して搬送ロール６３ｂの回転方向は反対方向となる。
【００４３】
同様に、原稿６の搬送方向に沿った下流側に位置する搬送ロール６４のうち駆動ロールとしての搬送ロール６４ｂは、図示しない駆動モーター等を駆動手段として、図の正回転方向Ｒａと逆回転方向Ｒｂに回転可能に構成されている。従動ロールである搬送ロール６４ａは、搬送ロール６４ｂに圧接した状態で、搬送ロール６４ｂの回転にしたがって回転するものである。その際、搬送ロール６４ａの回転方向に対して搬送ロール６４ｂの回転方向は反対方向となる。
【００４４】
搬送ロール６３は、原稿６の先端を下流側に位置する停止中の搬送ロール６４に突き当てることで撓ませ、搬送される原稿６を搬送方向に対して傾き補正（以下、「スキュー補正」という。）を行う機械によるスキュー補正手段を構成している。また、搬送ロール６４は、同様に、原稿６の先端を下流側に位置する停止中の搬送ロール６５に突き当てることで撓ませ、搬送される原稿６を搬送方向に対してスキュー補正を行う機械による同じくスキュー補正手段を構成している。ただし、搬送ロール６３，６４は、制御部によって制御され、必要時にのみ機械による傾き補正を実行する。そのため、搬送ロール６３，６４は、通常、正回転方向Ｒａに回転駆動される。なお、搬送ロール６３，６４は、必ずしも双方の搬送ロール６３，６４を用いて原稿６のスキューを二段階に補正する必要はなく、一方の搬送ロール６３又は搬送ロール６４のみを用いて原稿６のスキュー補正を行うように構成しても良い。
【００４５】
また、自動原稿搬送装置３３は、原稿６を読取位置に案内するとともに読取位置から排出方向に案内する湾曲形状の読取ガイド７０、読取窓７１の上方であって読取ガイド７０に設けられ原稿６の裏当てとなる板状の正反射板７２、原稿６の副走査方向のサイズを検知する第１のサイズ検知センサ７３、同じく原稿６の副走査方向のサイズを検知する第２のサイズ検知センサ７４、必要に応じて原稿６の裏面の画像を読み取る裏面読取部７５を有する。
【００４６】
画像読取装置３の筐体３１は、上端面の一部が開口した直方体状の箱体として形成されている。筐体３１は、原稿押さえカバー３２に対向する上壁３１２と、上壁３１２に対向する底壁３１３と、底壁３１３を挟んで副走査方向（図２の左右方向）に対向する側壁３１４及び側壁３１５と、上述した前壁３１１（図１参照）、及び前壁３１１と主走査方向（図２の紙面に直交する方向）に対向する後壁３１６とを有している。
【００４７】
筐体３１の上壁３１２には、第２の読取モード時に読み取られる原稿６の原稿読取位置に対応する部位に開口部３１７が形成され、開口部３１７には、原稿６を支持する透明な原稿台７６（プラテンガラス）が配置されている。また、原稿台７６の自動原稿搬送装置３３側には、第１の読取モード時に原稿６を読み取るための透明な読取窓７１が設けられている。読取窓７１と原稿台７６との間には、第１の読取モード時において原稿６を案内するための案内部材７７が設けられている。
【００４８】
画像読取装置３は、筐体３１の内部に、原稿６を照明するための光を照射する照明ランプやＬＥＤ（Light Emitting Diode）等からなる光源７８と、光源７８から出射された光の一部を原稿６の方向へ向けて反射する反射部材としてのリフレクタ７９と、原稿６の反射光を受ける第１のミラー８０と、第１のミラー８０からの反射光を受ける第２のミラー８１と、第２のミラー８１からの反射光を受ける第３のミラー８２と、第３のミラー８２からの反射光をＣＣＤ（Charge-Coupled Device）等からなる画像読取素子８３に結像する結像レンズ８４などを有する画像読取部とを備えている。光源７８、リフレクタ７９及び第１乃至第３のミラー８０〜８２は、副走査方向（図２の紙面に直交する方向）に沿って配置されている。また、光源７８は、正反射板７２及びリフレクタ７９方向に向けて光を発する。
【００４９】
光源７８、リフレクタ７９及び第１のミラー８０は、主走査方向に沿って配置され、副走査方向に沿って後述する駆動モーター等の駆動手段により移動可能に設けられたキャリッジからなる第１の移動体８５に固定されている。第１の移動体８５は、筐体３１の後壁３１６に副走査方向に沿って配置された第１のレール８６に案内されて、副走査方向に移動しながら原稿６の読取対象領域を照明し、第１のミラー８０によって原稿６の反射光を第２の移動体８７の第２のミラー８１に向けて反射する。
【００５０】
また、第２のミラー８１及び第３のミラー８２は、主走査方向に沿って配置され、副走査方向に沿って後述する駆動モーター等の駆動手段により移動可能に設けられたキャリッジからなる第２の移動体８７に固定されている。第２の移動体８７は、筐体３１の底壁３１３に副走査方向に沿って配置された第２のレール８８に案内されて、副走査方向に移動しながら、原稿６の反射光を画像読取部の結像レンズ８４に向けて反射する。第１のレール８６及び第２のレール８８は、主走査方向に沿った両端部に対向するようにそれぞれ１つずつ配置されている。
【００５１】
画像読取部は、底壁３１３に支持されたベース板８９に固定された、レンズ８４及び画像読取素子８３を実装した第１の回路基板９０を有している。画像読取部は、第３のミラー８２からの反射光を結像レンズ８４を透過してＣＣＤ等からなる画像読取素子８３に結像し、画像読取素子８３によって原稿６の画像を読み取って画像データを出力するように構成されている。
【００５２】
この実施の形態において、第１の移動体８５に搭載される光源７８、リフレクタ７９及び第１のミラー８０、第２の移動体８５に搭載される第２乃至第３のミラー８１，８２、画像読取装置３の筐体３１に装着される結像レンズ８４，画像読取素子８３及び第１の回路基板９０は、読取手段を構成している。
【００５３】
第１の読取モードでは、図２に実線で示されるように、移動体８５を筐体３１の左端部に設定された読取位置で停止させた状態で、自動原稿搬送装置３３によって原稿６を自動的に搬送し、読取窓７１を通過する原稿６の画像を光源７８により照明し、原稿６からの反射光を第１のミラー８０によって第２及び第３のミラー８１，８２を介して結像レンズ８４に向けて反射する。画像読取部は、第３のミラー８２からの反射光を結像レンズ８４によりＣＣＤ等からなる画像読取素子８３に結像し、画像読取素子８３によって原稿６の画像を読み取り画像データを出力する。
【００５４】
一方、第２の読取モードでは、第１の移動体８５及び第２の移動体８７が図示しない駆動機構によって駆動され、第１の移動体８５が副走査方向に移動する間、原稿６の画像読取部位から画像読取素子８３までの光路長が変動しないように、第２の移動体８７の移動量が第１の移動体８５の移動量の半分となるよう構成されている。図２中、二点鎖線は、第１の移動体８５が原稿６の副走査方向の端部付近に移動したときの第１の移動体８５及び第２の移動体８７の位置を示している。
【００５５】
＜画像読取装置の要部の構成＞
この実施の形態１に係る画像読取装置３は、図３及び図４に示されるように、画像読取素子８３が実装された第１の回路基板９０と、第２の回路基板の一例としての中継基板９１とを備えている。中継基板９１は、第１の回路基板９０、画像読取装置３の自動原稿搬送装置３３並びに第１及び第２の移動体８５，８７を駆動する駆動モーター等に電力を供給する電源回路の一例としての電源回路９２を有している。
【００５６】
電源回路９２は、画像形成装置１の図示しない電源スイッチがオンされることにより商用電源から１００Ｖ等の交流電圧が通電される。また、電源回路９２には、図４に示されるように、画像形成装置１の図示しない電源スイッチがオンされることにより、画像形成装置１から電源オン信号９３が入力される。電源回路９２は、図５に示されるように、電源オン信号９３が入力されたとき、駆動モーターＭ等に供給される２４Ｖの第１の直流電圧と、画像読取素子８３や第１の回路基板９１に供給される３．３Ｖの第２の直流電圧とを生成する電源生成部９４を備えている。
【００５７】
電源生成部９４は、図５に示されるように、抵抗を介してエミッタ接地された第１のスイッチングトランジスタＴｒ１と、第１のスイッチングトランジスタＴｒ１のコレクタ端子にエミッタ端子が接続された第２のスイッチングトランジスタＴｒ２と、第１のスイッチングトランジスタＴｒ１のエミッタ端子に抵抗を介してベース端子が接続された第３のスイッチングトランジスタＴｒ３とを有している。第１のスイッチングトランジスタＴｒ１のベース端子には、逆方向に接続（カソード端子が２４Ｖの電源電圧に接続）されたダイオードＤを介して電源生成部９４で生成される２４Ｖの直流電圧が印加される。また、第２のスイッチングトランジスタＴｒ２のベース端子には、電源生成部９４で生成される３．３Ｖの直流電圧が印加される。また、第２のスイッチングトランジスタＴｒ２のコレクタ端子及び第３のスイッチングトランジスタＴｒ３のコレクタ端子には、電源生成部９４で生成される所要の直流電圧Ｖｃｃが印加される。さらに、第３のスイッチングトランジスタＴｒ３のエミッタ端子には、接地電位との間に抵抗を介して生成電源信号９５を出力する出力端子が接続されている。
【００５８】
電源回路９２には、図４に示されるように、生成手段の一例としての遅延回路９６が接続されている。遅延回路９６には、電源回路９２から出力される生成電源信号９５が入力される。遅延回路９６は、電源回路９２から生成電源信号９５が入力されると、予め定められた遅延時間（例えば、数１００ｍｓｅｃ程度）だけ遅延させて画像読取装置３を起動させるための起動信号９７を出力する。起動信号９７は、画像読取装置３から後述する第３のケーブル１０２を介して主基板の一例としてのメイン基板１００のメインＣＰＵ１０１に出力される。また、起動信号９７は、図示しないシールド構造を有する画像読取装置３の内部に設けられた第１の回路基板９０や駆動モーターＭなどに出力される。なお、メインＣＰＵ１０１は、起動信号９７が入力された際に、起動信号９７に重畳するノイズを除去するノイズ除去機能としてのポーリング処理をソフトウェアにより実行する。ここで、ポーリング処理とは、メインＣＰＵ１０１が実行するソフトウェアにおいて、起動信号９７の受信状態を確認し、起動信号９７の受信状態が所要の条件を満たす場合、例えば、起動信号９７が一定の時間内に所要回数だけ受信された場合にのみ、起動信号９７を受信したと判定し、スキャナー制御信号１０４を出力することを意味する。
【００５９】
中継基板９１は、図４に示されるように、第１のケーブル９８を介して第１の回路基板９０に接続されているとともに、第２のケーブル９９を介して駆動モーターＭに接続されている。また、中継基板９１は、第３のケーブル１０２を介してメイン基板１００と接続されている。メイン基板１００は、第４のケーブル１０３を介して第１の回路基板９０と接続されている。なお、これら第１乃至第４のケーブル９８，９９，１０２，１０３としては、シールド処理が施されていないフレキシブルフラットケーブル（ＦＦＣ：Flexible Flat Cable）などが使用される。
【００６０】
メイン基板１００は、画像読取装置３を制御する制御手段（制御部）の一例としてのメインＣＰＵ（Central Processing Unit）１０１を備えている。メインＣＰＵ１０１は、図示しないＲＯＭ等に記憶されたプログラムに基づいて画像読取装置３を制御するためのスキャナー制御信号１０４を、第３のケーブル１０２及び第４のケーブル１０３を介して第１の回路基板９０や中継基板９１、駆動モーターＭに出力する。なお、メイン基板１００は、例えば、画像形成装置１の筐体１ａの内部に設けられる。この場合、メイン基板１００に設けられるメインＣＰＵ１０１は、画像形成装置１の画像形成動作を統括的に制御するＣＰＵを兼用することができる。また、メイン基板１００は、画像読取装置３の筐体３１の内部に設けるように構成しても良い。
【００６１】
第１の回路基板９０に実装された画像読取素子８３は、結像レンズ８３によって結像された原稿６の光学像を光電変換する。第１の回路基板９０は、画像読取素子８３から出力される信号に基づいてアナログ又はデジタルの電気信号である読取データを生成して中継基板９１に出力する。中継基板９１は、第１の回路基板９０から出力された読取データに対して、必要に応じてデジタルの電気信号に変換し、デジタル信号からなる読取データに対して、予め定められた画像処理を施した画像データを生成してメイン基板１００に出力する機能を有している。中継基板９１で行われる画像処理は、原稿６の原稿サイズに応じて、画像処理におけるパラメータや処理の仕方等が予め定められている処理であり、例えば、シェーディング補正処理や拡縮処理等が挙げられる。また、中継基板９１は、画像処理が施された画像データを出力する出力インターフェイスなどの機能を備えている。
【００６２】
また、シェーディング補正処理や拡縮処理等の画像処理は、中継基板９１で行うのではなく、メイン基板１００にて実行するように構成しても良い。この場合には、画像読取素子８３から出力される信号を第４のケーブル１０３を介してメイン基板１００に出力するように構成することが可能である。
【００６３】
＜画像読取装置の要部の作用＞
この実施の形態１に係る画像読取装置３は、次のようにして、画像形成装置１の電源の投入に伴って起動され、画像読取動作を開始する。
【００６４】
画像読取装置３は、図６（ａ）に示されるように、画像形成装置１の電源スイッチがオンされると、電源オン信号９３が中継回路９１の電源回路９２に入力される。電源回路９２は、同図（ｂ）に示されるように、電源オン信号９３が入力されると、電源生成部９４に通電されて電源生成部９４が２４Ｖの直流電圧を立ち上げる。電源生成部９４で生成された２４Ｖの直流電圧は、図５に示されるように、逆方向のダイオードＤを介して第１のスイッチングトランジスタＴｒ１のベース端子に印加される。ダイオードＤは、降伏電圧が１８Ｖ程度に設定されており、電源生成部９４で生成される２４Ｖの直流電圧が立ち上がり降伏電圧１８Ｖを越えると、図６（ｃ）に示されるように、第１のスイッチングトランジスタＴｒ１のベース端子に電圧が印加され始め、第１のスイッチングトランジスタＴｒ１のベース電位が所要の閾値を越えると、第１のスイッチングトランジスタＴｒ１がオン状態となる。
【００６５】
その後、電源生成部９４は、図６（ｄ）に示されるように、生成された２４Ｖの直流電圧に基づいて３．３Ｖの直流電圧を生成し出力する。すると、電源生成部９４で生成された３．３Ｖの直流電圧は、第２のスイッチングトランジスタＴｒ２のベース端子に印加され、第２のスイッチングトランジスタＴｒ２がオン状態となる。その結果、第２のスイッチングトランジスタＴｒ２及び第１のスイッチングトランジスタＴｒ１には、コレクタ電流が流れ、第３のスイッチングトランジスタＴｒ３がオン状態となる。そして、電源回路９２からは、第３のスイッチングトランジスタＴｒ３がオン状態となると同時に、同図（ｅ）に示されるように、電源回路９２による２４Ｖの第１の直流電圧、及び３．３Ｖの第２の直流電圧の立ち上がりに基づいた生成電源信号９５が出力される。
【００６６】
電源回路９２から出力される生成電源信号９５は、図４及び図５に示されるように、遅延回路９６に入力される。遅延回路９６は、図６（ｆ）に示されるように、生成電源信号９５を一定の遅延時間だけ遅延させた起動信号９７を出力する。
【００６７】
遅延回路９４から出力される起動信号９７は、図７に示されるように、第１の回路基板９０と、駆動モーターＭと、メイン基板１００のメインＣＰＵ１０１に出力される。第１の回路基板９０は、起動信号９７に基づいて画像読取素子８３が画像の読取が可能となるよう起動する。また、駆動モーターＭは、起動信号９７が入力されると、回転可能な状態となる。さらに、メイン基板１００のメインＣＰＵ１０１は、起動信号９７が入力されると、スキャナー制御信号１０４を画像読取装置３の第１の回路基板９０及び駆動モーターＭに出力し、画像読取装置３における画像読取動作を制御する。
【００６８】
このとき、低湿環境下等において、画像形成装置１並びに画像読取装置３を操作するユーザの衣服などが摩擦帯電等によって高い電位に帯電している場合がある。かかる場合には、ユーザが画像形成装置１や画像読取装置３に接近したり、画像形成装置１並びに画像読取装置３のコントロールパネル１０１に設けられたタッチパネル１０２や複数の操作ボタン１０３を操作すると、図７に示されるように、静電気ノイズが第３のケーブル１０２や第４のケーブル１０３を伝送される信号に重畳されることがある。
【００６９】
従来の画像読取装置３では、図８に示されるように、電源回路の生成電源信号を第３のケーブル１０２を介してメイン基板１００のメインＣＰＵ１０１に出力し、メインＣＰＵ１０１によってソフトウエアによる遅延処理を施して、メインＣＰＵ１０１から起動信号を第３のケーブル１０２及び第４のケーブル１０３を介して画像読取装置３の第１の回路基板９０や駆動モーターＭに出力するよう構成していた。そのため、第３のケーブル１０２や第４のケーブル１０３としてシールド処理が施されていないフレキシブルフラットケーブル（ＦＦＣ）を使用した場合は、起動信号に静電気ノイズが重畳される虞れを有している。このように、起動信号に静電気ノイズが重畳されると、起動信号は、リセット信号と同様の機能を有しているため、特許文献１に記載されているように、リセット信号ラインとしての第３のケーブル１０２や第４のケーブル１０３が静電気ノイズの影響を受け、電圧レベルの変動が引き起こされ、この結果閾値を超えると、実際には起動信号（リセット信号）が生成されていないにもかかわらず、画像読取装置３は起動信号が生成されているように誤動作し、一旦初期状態に戻って動作を開始したり、最悪の場合は継続的に起動信号が生成されているような状態となるときには、初期状態が継続され、画像読取装置３の動作が困難となる虞れもあった。
【００７０】
したがって、従来の画像読取装置３では、画像読取装置３の動作が困難となる虞れを回避するため、メインＣＰＵ１０１から起動信号を画像読取装置３に送る第３のケーブル１０２や第４のケーブル１０３として、シールド処理が施されたフレキシブルフラットケーブル（ＦＦＣ）を使用することで、コストの増加を招く要因ともなっていた。
【００７１】
これに対して、本実施の形態の画像読取装置３では、図７に示されるように、起動信号９５を画像読取装置３の内部で生成し、起動信号９５を画像読取装置３から画像形成装置１のメイン基板１００に向けた方向にのみ出力するように構成している。そのため、本実施の形態の画像読取装置３では、起動信号９５に静電気ノイズが重畳された場合であっても、画像読取装置３が当該起動信号９５によってリセットされる等の誤動作を起こす虞れがないか又は低減される。その結果、本実施の形態では、画像読取装置３の動作が安定するとともに、起動信号９５を画像読取装置３に送る第３のケーブル１０２や第４のケーブル１０３として、シールド処理が施されていない安価なフレキシブルフラットケーブル（ＦＦＣ）を使用することができ、コストが増加することが抑制される。
【００７２】
また、静電気ノイズが重畳された起動信号９５がメイン基板１００のメインＣＰＵ１０１に入力された場合であっても、メインＣＰＵ１０１は、ポーリング処理等を行うことにより、ソフトウェア的に静電気ノイズの影響を除去あるいは回避することができる。そのため、静電気ノイズが重畳された起動信号９５がメインＣＰＵ１０１に入力されることに伴うメインＣＰＵ１０１の誤動作が回避乃至抑制される。
【００７３】
なお、本実施の形態では、メインＣＰＵは元々画像読取装置の他に画像形成装置も制御するように構成しており、比較的高機能のものを使用している。そのため、ノイズの影響を除去あるいは回避する処理を追加で行うとしても、比較的容易である。しかしながら、このノイズの影響を除去あるいは回避する処理を画像読取装置側の電源回路で行おうとすると、大型化やコストアップを招いてしまう。
【００７４】
このように、上記実施の形態に係る画像読取装置３によれば、起動信号９５を複数系統に分けて伝送する場合に比較して、起動信号の伝送経路が複雑化するのを回避しつつ、起動信号９５に重畳する虞れのある静電気ノイズの影響が抑制される。
【符号の説明】
【００７５】
１…画像形成装置
１ａ…画像形成装置本体
３…画像読取装置
３１…画像読取装置筐体
７８…光源
８０…第１のミラー
８１…第２のミラー
８２…第３のミラー
８３…画像読取素子
８４…結像レンズ
８５，８７…第１及び第２の移動体
９０…第１の回路基板
９２…電源回路
９５…起動信号
９６…遅延回路
１００…メイン基板
１０１…メインＣＰＵ。
【図１】
2016178501.tif 000003
【図２】
2016178501.tif 000004
【図３】
2016178501.tif 000005
【図４】
2016178501.tif 000006
【図５】
2016178501.tif 000007
【図６】
2016178501.tif 000008
【図７】
2016178501.tif 000009
【図８】
2016178501.tif 000010